(57)【要約】【課題】梯子を含む脚立の踏み桟に対して装着が容易であり、安定した姿勢で安全に作業することができる脚立用踏み台を提供する。【解決手段】脚立１２の一つの踏み桟１４に装着される足踏み板２２を有する。一方の端部には鉤状に形成されたフック部１８が設けられ他端部には足踏み板２２と連結可能な保持部の連結孔１６ａが設けられて、引っ張り及び圧縮方向の力に抗する剛性を備えた支柱１６を備える。フック部１８と他の上方踏み桟１４を連結可能に形成された留め具２０と、支柱１６の連結孔１６ａに取り付け可能に形成された連結具２６を有する。足踏み板２２に設けられ連結具２６により支柱１６の連結孔１６ａと連結可能な連結部２４と、足踏み板２２の底面に設けられ踏み桟１４と係合可能な係合部２８を備える。【選択図】図１
0003126586.tif 000002
【実用新案登録請求の範囲】
【請求項１】
脚立の一つの踏み桟に装着する脚立用踏み台において、一方の端部には鉤状に形成されたフック部が設けられ他端部には足踏み板と連結可能な保持部が設けられているとともに、引っ張り及び圧縮方向の力に抗する剛性を備えた支柱と、前記フック部と他の上方踏み桟を連結可能に形成された留め具と、前記支柱の保持部に取り付け可能に形成された連結具と、前記足踏み板に設けられ前記連結具により前記支柱の保持部と連結可能な連結部と、前記足踏み板の底面に設けられ前記踏み桟と係合可能な係合部とを備えたことを特徴とする脚立用踏み台。
【請求項２】
前記支柱と前記足踏み板の交点の成す角が、ほぼ直角であることを特徴とする請求項１記載の脚立用踏み台。
【請求項３】
前記脚立側面の構造材に、固定具を介して揺動可能に連結され、一端部に取り付け用のピンが嵌挿された転倒防止棒を備えたことを特徴とする請求項１または２記載の脚立用踏み台。
【考案の詳細な説明】
【技術分野】
【０００１】
この考案は、梯子を含む脚立の踏み桟に載置する脚立用踏み台に関する。
【背景技術】
【０００２】
一般に、庭木の手入れなど、高所作業に使用される梯子または脚立の踏み桟は、細い棒状に形成されており、作業中にうっかり足を踏み外す危険性があった。そのため、作業中は、踏み桟上の足位置を常に注意して、作業する必要があった。そこで、特許文献１、２に示すように、梯子や脚立の踏み桟に装着して、安定に作業を行うことができるようにした踏み台が提案されている。
【０００３】
特許文献１では、梯子や脚立の適宜な踏み桟に踏み板底面の踏み桟受を嵌合させて、踏み台を載置したものが開示されている。この踏み台は、一端が踏み板に係合した支持アーム他端のフックを、一つ上方に位置する踏み桟に引掛けて踏み板を吊り下げるようにして支持されている。
【０００４】
また、特許文献２では、梯子や脚立の踏み桟に装着可能に形成されたスライド式留め具により、水平方向の位置調節を可能にした足踏み板が設けられた足踏み台が開示されている。この特許文献２の足踏み台も、椅子や立脚の踏み桟に足踏み板を載置し、引掛金具を一つ上方の踏み桟に嵌合させ吊り下げて、足踏み台を梯子等に装着している。そして、装着状態では、足踏み台が昇降側面の内側に突出した状態に取り付けられている。
【特許文献１】特開２００５−２２０９８５号公報
【特許文献２】特開２００４−１８３４６９号公報
【考案の開示】
【考案が解決しようとする課題】
【０００５】
しかし、特許文献１では、梯子や脚立の適宜な踏み桟に踏み板底面の踏み桟受を嵌挿させて載置し、一つ上方に位置する踏み桟に引掛けフックを掛けて吊り下げるようにして、踏み台を装着している。この状態で使用に際しては、踏み桟の真上に位置する踏み板中央付近に両足を位置させる場合は、踏み板が踏み桟に支持されて安定する。しかし、支持アームが軸支された反対側に足を位置させると、踏み桟を中心に踏み板が回動して、引掛けフックが踏み桟から外れて、落下する危険性があった。
【０００６】
また、特許文献２では、足踏み板が昇降側面の内側に突出するように取り付けられているため、足踏み板に立とうとしても上方位置の踏み桟が足のすねやふくらはぎに当たり、不安定となり、危険で安全に作業できないものであった。
【０００７】
この考案は、上記従来の技術に鑑みて成されたもので、梯子を含む脚立の踏み桟に対して装着が容易であり、安定した姿勢で安全に作業することができる脚立用踏み台を提供することを目的とする。
【課題を解決するための手段】
【０００８】
この考案は、脚立の一つの踏み桟に装着する脚立用踏み台において、一方の端部には鉤状に形成されたフック部が設けられ他端部には足踏み板と連結可能な保持部が設けられているとともに、引っ張り及び圧縮方向の力に抗する剛性を備えた支柱と、前記フック部と他の上方踏み桟を連結可能に形成された留め具と、前記支柱の保持部に取り付け可能に形成された連結具と、前記足踏み板に設けられ前記連結具により前記支柱の保持部と連結可能な連結部と、前記足踏み板の底面に設けられ前記踏み桟と係合可能な係合部とを備えた脚立用踏み台である。
【０００９】
前記支柱と前記足踏み板の交点の成す角は、ほぼ直角である。また、前記脚立側面の構造材に、固定具を介して揺動可能に連結され、一端部に取り付け用のピンが嵌挿された転倒防止棒を備えたものである。また、前記支柱のフックが釣支された踏み桟両脇の構造材に、鎖の端部が各々巻き付けられて、安全ベルトが形成されていても良い。
【考案の効果】
【００１０】
この考案の脚立用踏み台によれば、梯子や脚立の踏み桟に容易に取り付けることができて、安定した姿勢で作業可能なものである。また、足踏み板底面に設けられた係合部と他の上方踏み桟に連結されたフック部により、足踏み板のどの部分に足を着いても足踏み板が踏み桟から外れることが無く安全性が高いものである。
【考案を実施するための最良の形態】
【００１１】
以下、この考案の踏み台の一実施形態について、図１〜図３に基づいて説明する。この実施形態の脚立用踏み台１０は、図１に示すように、アルミなどから成る金属パイプ材を溶接などで組み合わせて形成された三脚式の梯子や脚立に取り付けられるもので、この実施形態では脚立１２の踏み桟１４に取り付けられて使用される。この脚立用踏み台１０は、図２（ａ）（ｂ）に示すように、金属製の板状の棒体から成る一対の支柱１６を備えている。支柱１６の一端には、図２（ａ）に示すように、逆Ｕ字状に折り曲げられたフック部１８が設けられ、フック部１８には貫通孔である嵌挿孔１８ａが形成されている。また、他端には、保持部としての貫通孔である連結孔１６ａが形成されている。フック部１８の嵌挿孔１８ａには、図２（ａ）（ｂ）に示すように、留め具２０が嵌挿されている。支柱１６の他端の連結孔１６ａには、金属製の足踏み板２２を保持する連結具２６が嵌挿され、連結具２６が、足踏み板２２の一端部のＬ字型の連結部２４に挿通又は螺合し、支柱１６と足踏み板２２がほぼ直角に交わるように連結されている。
【００１２】
足踏み板２２の底面には、両側方向の端部近傍に、下方へコの字状に開口した板状の係合部２８が形成され、縁部と平行に各々設けられている。また、図２（ａ）に示すように、足踏み板２２の正面方向の端縁部から両側縁部の一部にかけて、適宜な幅で帯状に縁取りされた起立部２２ａが設けられている。
【００１３】
さらに、図３に示すように、脚立用踏み台１０が取り付けられた踏み桟１４の側方に位置する脚立１２の構造材に、アルミなどの金属から成る棒状の転倒防止棒３０を各々装着しても良い。この転倒防止棒３０の先端部近傍には、適宜な長さの金属などから成るピン３０ａが側面とほぼ垂直に嵌挿されている。また、支柱１６のフック部１８が掛けられた踏み桟側方の脚立１２の構造材に、適宜な長さの鎖などから成る安全ベルト３２の両端部を各々括り付けて設けても良い。
【００１４】
次に、この実施形態の踏み台１０の取付方法について説明する。まず、脚立１２の昇降側面の頂部の直下に位置する踏み桟１４に、支柱１２の端部に設けられたフック部１８を、脚立１２の背面側から吊り下げる。このとき、踏み桟１４に吊り下げられた支柱１２の位置は、左右対称な位置にすると良い。そして、支柱１２のフック部１８に形成された嵌挿孔１８ａに、脚立１２の背面側からピン状の留め具２０を嵌挿する。すると、フック部１８内面にて踏み桟１４のパイプを狭持した状態で、留め具２０により固定される。続いて、支柱１２の下方端部と同じ高さに位置する踏み桟１４上へ足踏み板２２を載せ、足踏み板２２底面の係合部２８を踏み桟１４に嵌合させて、足踏み板２２の縁取りされた部分が脚立１２の昇降側面から水平方向に突出した位置に載置する。そして、支柱１６端部の連結孔１６ａと足踏み板２２の連結部に形成された貫通孔とを位置を合わせて、連結具２６を嵌挿し、足踏み板２２と各支柱１６を固定する。
【００１５】
また、転倒防止棒３０は、図３に示すように、脚立用踏み台１０が取り付けられた踏み桟１４の側方に位置する脚立１２の構造材に、固定具３４を各々装着し、揺動連結具に転倒防止棒３０を連結する。また、支柱１６のフック部１８が取り付けられた踏み桟１４側方の脚立の構造材に、適宜な長さの鎖などから成る安全ベルトの両端部を各々括り付けると良い。
【００１６】
次に、この実施形態の踏み台の使用方法について説明する。まず、脚立１２を剪定する庭木などの側に展開し、設置する。そして、昇降側面の上方で、作業頻度の高い位置の踏み桟１４に脚立用踏み台１０を取り付け、転倒防止棒３０を梯子部の両側に装着する。続いて、転倒防止棒３０を広げた状態にし、脚立１２の近傍に位置する木や構造物に、転倒防止棒３０を当接させピン３０ａを適宜の穴に挿通し、ピン３０ａとともに、図示しないロープなどで締結し固定する。そして、作業者は、脚立１２の昇降側面を上り、脚立用踏み台１０の足踏み板２２の上に立ったり座ったりして、適宜な姿勢にて作業を行う。このとき、作業者は、脚立１２に取り付けられた安全ベルト３２を体に巻き付ける状態に装着すると良い。
【００１７】
この実施形態の脚立用踏み台１０によれば、梯子や脚立の踏み桟１４に容易に取り付けることができ、足踏み板２２により広く形成された足場により安全に作業できるものである。そして、足踏み板２２底面の係合部２８が踏み桟に嵌合してズレが防止され、踏み桟１４に掛けられた支柱１６のフック部１８が留め具２０により固定されて上下動が規制され、足踏み板２２のどの部分に足を着いても、安定した姿勢で作業することができるものである。そのため、作業者は、脚立１２の昇降側面に対して正対または反対のどちらの向きでも安定して作業可能なものである。また、転倒防止棒３０が、周囲の庭木や構造物に締結されて、突っ張り棒となり、脚立１２の転倒が防止されるため、より安全に作業できるものである。さらに、足踏み板２２に立った作業員の体に安全ベルト３２を昇降側面に押しつけるように巻き付けることにより、足踏み板２２からバランスを崩し落下する危険性が防止され、より安全に作業できるものである。
【００１８】
また、支柱１６の本数は一本でもよく、この場合は、足踏み板２２の端部中央位置で連結可能に形成されているとバランスが良く安定するものである。
【００１９】
なお、この考案の脚立用踏み台は上記実施形態に限定されるものではなく、転倒防止棒の取り付けは、脚立の左右の、両方または片方のどちらでも適宜に選択可能なものである。また、安全ベルトは、作業者の体を梯子や脚立の昇降側面からずれないように留めることできればよいため、作業者の体格や使用する梯子または脚立に合わせて、形状や材質など適宜選択可能なものである。
【００２０】
また、支柱の長さ及び太さは、装着する梯子または脚立の大きさに合わせて適宜設定可能なものである。さらに、足踏み板の形状や素材は、梯子または脚立の形状や大きさに合わせて、適宜変更可能である。
【図面の簡単な説明】
【００２１】
【図１】この考案の一実施形態の踏み台を脚立に装着した状態を示す側面からの概略図である。
【図２】この実施形態の踏み台の側面図（ａ）と、背面図（ｂ）である。
【図３】この実施形態の踏み台が取り付けられた梯子を示す斜視図である。
【図４】この実施形態の踏み台が取り付けられた梯子の使用状態を示す斜視図である。
【符号の説明】
【００２２】
１０  脚立用踏み台
１２  脚立
１４  踏み桟
１６  支柱
１６ａ  連結孔
１８  フック部
２０  留め具
２２  足踏み板
２４  連結部
２６  連結具
２８  係合部
【図１】
0003126586.tif 000003
【図２】
0003126586.tif 000004
【図３】
0003126586.tif 000005
【図４】
0003126586.tif 000006